(57)【要約】【課題】種子の採取を不要にして、水草や海草などの草体を移植して、群落の成長を図る。【解決手段】生分解性材料によって形成した筒状材を、脚体１に配し、脚体１間には生分解性の基盤シート２を配する。この草体移植具Ａを、脚体１の両端を水底に打ち込んで、水草や海草の群落Ｂ近くに設置する。地下茎５が基盤シート２上に伸びていき、草体６が成長する。この草体移植具Ａを、群落Ｂの少ない場所に設置して草体６を移植する。脚体１や基盤シート２は分解して環境に影響を及ぼさない。【選択図】図２
2008148575.tif 000002
【特許請求の範囲】
【請求項１】
草体を付着させて生育させ、その草体とともに別の場所に移植するための草体移植具であって、
生分解性材料によって成形した脚体二本を左右に配し、
この二本の脚体間に生分解性の基盤シートを張設した
草体移植具。
【請求項２】
基盤シートは生分解性の網材であることを特徴とする請求項１記載の草体移植具。
【請求項３】
基盤シートには、草体を固着剤によって付着させたことを特徴とする請求項１記載の草体移植具。
【請求項４】
草体を生育させた基盤シートの上に、押えネットを覆い被せたことを特徴とする請求項１記載の草体移植具。
【請求項５】
脚体は筒状材によって成形し、この筒状の脚体の中には、錘材を詰めたことを特徴とする請求項１乃至請求項４のいずれかに記載の草体移植具。
【請求項６】
押えネットの左右又は前後に筒状材からなる枠体を設け、この筒状の枠体の中には、錘材を詰めたことを特徴とする請求項４に記載の草体移植具。
【請求項７】
錘材として砂又は砂利を使用したことを特徴とする請求項５又は請求項６に記載の草体移植具。
【請求項８】
請求項１乃至請求項７のいずれかに記載した草体移植具を、水底の水草若しくは海草の群落近くに配して基盤シートに草体を付着させ、
この草体が付着した草体移植具の基盤シートに草体を固着し、
その草体移植具を別の場所に移設して草体を根付かせることを特徴とする、
水底における草体の移植方法。
【発明の詳細な説明】
【技術分野】
【０００１】
本発明は、水草や海草を川や湖の水底や海底に移植して、自然環境の改善を図るための草体移植具及びその草体移植具を使用した水底における草体の移植方法に関するものである。
【背景技術】
【０００２】
湖や海域の沿岸域に生育する水草や海草などの草体は、魚類の産卵場や稚仔魚の育成場となるだけでなく、草体自体に酸素放出や土壌中の栄養塩吸収の機能があるため、水質浄化に重要な役割を果たす。
さらに、これらが沿岸域に密生することにより、底質の巻上げや侵食を防止する底質安定化機能なども重要視されつつある。
しかし、沿岸の埋め立てや水質汚濁により、これらの植生帯の消滅が進んだため、水草や海草移植の技術開発や湖岸植生帯復元、藻場造成などが進められている。
【０００３】
このため、草体を水底において積極的に生育させようと、草体の移植部材の開発がなされている。
これら従来のシート状材料を用いた移植部材は、予め挟持、あるいは付着させた播種シートを用いた方法が主流であった。播種シートには、ネットやマット等、空隙を持つ基盤上に種子を固着剤等で固着させたもの、あるいは、この播種シートに布やネットを被せ、種子を挟持させたものがある。（特開平８−１９９１５３，特開平１０−１８１９７６，特開２００４−１６５８８０）
また、シートに直接草体を定着させる技術は、出荷用の芝に利用したものがある。（特開平１０−２１５６８２）
【特許文献１】特開平８−１９９１５３号公報
【特許文献２】特開平１０−１８１９７６号公報
【特許文献３】特開２００４−１７５８８０号公報
【特許文献４】特開平１０−２１５６８２号公報
【発明の開示】
【発明が解決しようとする課題】
【０００４】
これら従来のシートを用いた海草・水草の移植技術は、予め種子を挟持、あるいは付着させる必要があるため、種子の採取が必要となる問題がある。
また、種子の採取は、水草・海草群落の刈り取りを必要とするため、水草・海草群落に大きなダメージを与えるという問題がある。
また、採取した種子について、発芽率の高い種子の選定や、熟成、管理など、種子を良好な状態に保つための装置や時間を要する上、実施期間が限定される技術であるといった問題がある。
さらに、シートに直接株を定着させる方法は、陸上の芝に関する作業に限定される方法であるといった問題がある。
【０００５】
また、従来の移植シートの海底への固定は鋲などが用いられていたが、腐食に時間が掛かり環境性に劣るため、腐食までの時間を調節でき、かつ、移植シートを確実に固定できる固定方法が望ましい。
また、移植シートを海底に敷設する際に沈めるときに、浮力を受けた草体が離脱し易いといった問題もあった。
【０００６】
本発明は、水底や海底の植物群落に損傷を与えず、水草や海草などの草体を移植することができる環境性に優れた草体移植具及び草体の移植方法を提供することを目的とする。
【課題を解決するための手段】
【０００７】
この発明にかかる草体移植具は、
草体を付着させ、水底に草体を移植するための草体移植具であって、
生分解性材料によって成形した二本の脚体を左右に配し、
この二本の脚体間に生分解性の基盤シートを張設したものである。
【０００８】
前記基盤シートは生分解性の網材とすることもある。
【０００９】
前記した基盤シートには、地下茎を固着剤によって付着させ、草体を生育させて定着させることも可能である。
【００１０】
前記した草体を生育させた基盤シートの上には、押えネットを覆い被せることも可能である。
【００１１】
筒状材によって成形した脚体内には、錘材を詰めることもある。その錘材としては、砂又は砂利を使用することも可能である。
【００１２】
押えネットの左右又は前後に筒状材からなる枠体を設け、この筒状の枠体内には、錘材を詰めることもある。その錘材としては、砂又は砂利を使用することも可能である。
【００１３】
また、草体の移植方法としては、草体移植具を、水底の水草若しくは海草の群落近くに配して基盤シートに草体を付着させ、
この草体が付着した草体移植具の基盤シートに草体を固着し、
その草体移植具を別の場所に移設して草体を根付かせるものである。
【発明の効果】
【００１４】
本発明にかかる草体移植具は、以下の効果を得ることができる。
＜ａ＞基盤シートには、種子を配するのではなく、水草や海草の自然な繁殖による草体の定着をさせるため、種子を確保する必要がなく、海草群落などを損傷することなく、自然環境に配慮した繁殖を行うことができる。
＜ｂ＞二本の脚体を左右に配してあるため、両手で脚体をひとつづつ掴み、左右に広げて脚体の両端を水底に打ち込むことにより設置を容易に行うことができる。
＜ｃ＞脚体や基盤シートとして生分解性の材料によって形成したものを使用するため、経時的に分解して自然回帰し、環境を汚染したり破壊することがない。
＜ｄ＞筒状の脚体内の錘材により、水底に設置したときの海流などの影響を小さくできる。
＜ｅ＞錘材として砂などの天然材料を使用することにより、脚体が自然回帰した後、錘材も自然物として環境を破壊することがない。
＜ｆ＞押えネットを使用して敷設作業に伴う草体の剥離を防ぐことができる。
【発明を実施するための最良の形態】
【００１５】
[実施例１]
＜１＞草体移植具の構成
図に示すＡは、本発明のおける草体移植具であり、左右に配した脚体１・１と、この脚体１・１間に張設した基盤シート２を基本構成とする。
なお、草体には水草及び海草の双方の草体を含む。
【００１６】
＜２＞脚体
脚体１は、基盤シートを保持し、海底に固定するための部材である。
脚体１は、生分解性の材料によって形成する。
また、脚体１は、棒状のものをコ字形に成形したものでもよいが、実施例は、生分解性の材料によって筒状に形成したものを使用している。
脚体１は、その両端部を屈曲して成形する。生分解性の材料としては、例えばデンプンを材料とする生分解プラスチックなどがある。
【００１７】
＜３＞基盤シート
基盤シート２は、草体移植具に水底に移植するための草体を付着させるための部材であり、本実施例においては、基盤シート２は、二本平行に配した、上記脚体１の中間部間に渡して張設している。
基盤シート２は、脚体１と同じく生分解性の材料で形成する。生分解性の材料としては、デンプンやセルロース系樹脂によって成形した糸を編んだ網材や、ヤシの樹枝によって形成したヤシマットなどが使用できる。
基盤シート２は、例えば端部を脚体１の周りに巻きつけるようにして、針金などで縛って、脚体１に取り付けてもよい。
基盤シート２の厚みとしては、移植作業を行う場合の必要強度を考慮して、１ｍｍ以上、２ｍｍ以下とする。ヤシマットを使用する場合は、厚みは２〜１０ｍｍ程度である。網材の場合の目合いは、草体６の根（直径１〜２ｍｍ）が貫通すればよく、２ｍｍ以上とする。
【００１８】
＜４＞錘材
錘材３は、筒状の脚体１内に充填する部材であり、草体移植具に対して水底に安定的に固定するに足る重量を付与するものである。
錘材３として砂又は砂利を使用することができる。錘材３は、砂の他、水などの液体などでもよいが、将来的に脚体１の分解することを考慮して周辺環境に悪影響を与えない性質を有するものを適宜選択する。例えば草体を移植する水底の泥、砂、又は砂利などが生態系保全の観点からも好適である。
脚体１の端部には栓４を詰めるなどでして錘材３の外部への流出を防止する。
【００１９】
＜５＞押えネット
押えネット８は、草体移植具を水底に敷設する際に受ける浮力によって、基盤シートに付着させた水草・海草の草体の葉がさらわれて剥がれてしまうことを防止するための部材である。特に、後述する固着剤７を草体の茎の節のみに付した場合に効果がある。
押えネット８は、生分解性素材からなるネットを使用し、図２に示すように基盤シート上に覆い被せて固定する。
押えネット８は、草体６の生育を妨げないようにするため、目合いは１５〜２０ｃｍ程度とする。
【００２０】
＜６＞水草・海草の付着工程
まず、以上のような構成からなる草体移植具Ａに、移植する水草・海草の草体６を付着させる。
草体移植具Ａは、図５に示すように、移植元の水底の水草や海草の群落Ｂの近くに配置する。配置は、脚体１・１を左右に拡げて、脚体１の各両端を、水底に打ち込むようにして設置する。
草体移植具Ａは脚体１を生分解性素材からなる筒体で構成していることから軽量であり、左右の脚体１・１を広げるのみで水中でも簡単に基盤シート２を体よく張設することができる。
【００２１】
また、脚体１の内部には錘材３が充填されていることから波や潮に影響を受けても安定して設置することができる。重量不足の場合は、脚体１の全体にチェーンなどの錘をかけてもよい。
水草や海草は地下茎から草体が生育するが、基盤シート２が群落Ｂの近くにあることによって、この基盤シート２上に地下茎５が伸びて侵入し、やがて地下茎５から伸びた根によって基盤シート２にも定着する。地下茎５からは、草体６が成長して繁茂する。
【００２２】
＜７＞草体移植具の引き上げ工程
草体６が付着した草体移植具Ａを、水底から引き上げ、群落Ｂが不十分な別の場所に移植する。
ここで、移植前に基盤シート２から草体６が剥離しないように、草体６を一時的に固着する。草体６の成長を妨げない固着剤７によって基盤シート２に付着させておくもので、固着剤７としては、ゲル状の固着剤、例えばデンプン糊が使用できる。
固着剤７は、基盤シート２を直接固着剤中に浸して付してもよいし、草体の茎の節部分のみに付してもよい。移植場所の環境状況に合わせて適宜必要とする量の固着剤７を付着させる。
【００２３】
＜８＞草体移植具の敷設工程
草体移植具Ａを、草体を移植する水底に沈めて敷設する。
この際、草体移植具は浮力を受けて草体の葉が舞い上がるが、押えネット８により草体の剥離を阻止することができる。
設置後、草体移植具Ａから草体６が根付き群落Ｂへと成長していく。
脚体１や基盤シート２、或いは押えネット８は生分解性であるため、時を経ることで分解され自然に還るため周辺環境に悪影響を及ぼすことがない。
以上より、本発明によれば、種子を必要とせず簡易に水草・海藻の移植を実施することが可能となる。
【００２４】
[実施例２]
実施例２として、錘材３を脚体１内ではなく押えネット８に備える形態としてもよい。
押えネット８の両端又は四方に生分解性素材からなる中空の筒体形成する枠体を取り付け、その内部に錘材３を充填し密封する。その他の構成は実施例１と重複するため省略する。
本実施例によれば脚体１を軽量化を実現できるため、草体移植具への水草・海草の付着工程における草体移植具の取り回しが非常に簡単になり工程作業の効率化が実現される。
【図面の簡単な説明】
【００２５】
【図１】草体移植具の斜視図である。
【図２】草体が成長した草体移植具の斜視図である。
【図３】脚体の一部断面図である。
【図４】草体が付着した基盤シートの断面図である。
【図５】群落近くに設置した草体移植具の平面図である。
【符号の説明】
【００２６】
Ａ  草体移植具
Ｂ  群落
１  脚体
２  基盤シート
３  錘材
４  栓
５  地下茎
６  草体
７  固着剤
８  押えネット
【図１】
2008148575.tif 000003
【図２】
2008148575.tif 000004
【図３】
2008148575.tif 000005
【図４】
2008148575.tif 000006
【図５】
2008148575.tif 000007